【手続補正書】
【提出日】平成16年12月9日(2004.12.9)
【手続補正１】
【補正対象書類名】特許請求の範囲
【補正対象項目名】全文
【補正方法】変更
【補正の内容】
【特許請求の範囲】
【請求項１】
シリンダロックにおいて、
内部に回転可能に配置された回転可能なプラグを有するハウジングであって、該ハウジング固定された固定のプラグを有する前記ハウジングと、
該ハウジング内に摺動可能に取り付けられ且つ錠止位置と非錠止位置との間を摺動可能な非回転可能な軸であって、前記ハウジングの一端から伸びる作動端部と、前記ハウジングの他端から伸びる掛止端部とを有する前記非回転可能な軸と、
該非回転可能な軸と係合し得るように配置された１つ又は２つ以上の保持エレメントとを備える、シリンダロック。
【請求項２】
請求項１のシリンダロックにおいて、前記固定のプラグ及び前記回転可能なプラグの１つ又は２つ以上の軸方向に整合した穴内に受け入れられた１つ又は２つ以上のタンブラピンを更に備える、シリンダロック。
【請求項３】
請求項１のシリンダロックにおいて、前記１つ又は２つ以上の保持エレメントが前記回転可能なプラグの半径方向穴内に取り付けられる、シリンダロック。
【請求項４】
請求項１のシリンダロックにおいて、約１４４乃至約１８０°隔てた範囲に取り付けられた２つ又はより多くの保持エレメントを備える、シリンダロック。
【請求項５】
請求項１のシリンダロックにおいて、ばねが前記軸を非錠止め位置に偏倚させる、シリンダロック。
【請求項６】
請求項１のシリンダロックにおいて、前記軸に固定状態に接続されたアクチュエータであって、前記固定のプラグの軸方向溝内に受け入れ得るように整合され、これにより、前記軸及びアクチュエータの回転が阻止されるようにする脚部を更に有する前記アクチュエータを更に備える、シリンダロック。
【請求項７】
請求項１のシリンダロックにおいて、前記１つ又は２つ以上の保持エレメントが、前記軸が作動されたとき、前記軸の溝内に受け入れられる、シリンダロック。
【請求項８】
シリンダロックにおいて、
内部に回転可能に配置された回転可能なプラグを有するハウジングであって、該ハウジング固定された固定のプラグを有する前記ハウジングと、
該ハウジング内に摺動可能に取り付けられ且つ錠止位置と非錠止位置との間を摺動可能な非回転可能な軸であって、前記ハウジングの一端から伸びる作動端部と、前記ハウジングの他端から伸びる掛止端部とを有する前記軸と、
該非回転可能な軸の１つ又は２つ以上の整合溝と係合し得るように配置された１つ又は２つ以上の保持エレメントとを備え、回転可能なプラグの回転により保持エレメントが前記１つ又は２つ以上の溝から非係合状態となるようにした、シリンダロック。
【請求項９】
請求項８のシリンダロックにおいて、前記１つ又は２つ以上の保持エレメントが前記回転可能なプラグの半径方向穴内に取り付けられる、シリンダロック。
【請求項１０】
請求項８のシリンダロックにおいて、約９０乃至約１８０°隔てた範囲に取り付けられた２つ又はより多くの保持エレメントを備える、シリンダロック。
【請求項１１】
請求項８のシリンダロックにおいて、ばねが前記軸を非錠止位置に偏倚させる、シリンダロック。
【請求項１２】
請求項８のシリンダロックにおいて、前記軸に固定状態に接続されたアクチュエータであって、前記固定のプラグの軸方向溝内に受け入れ得るように整合され、これにより、前記軸及びアクチュエータの回転が阻止されるようにする脚部を更に有する前記アクチュエータを更に備える、シリンダロック。
【請求項１３】
請求項８のシリンダロックにおいて、前記軸が作動されたとき、前記１つ又は２つ以上の保持エレメントが、前記軸の溝内に受け入れられる、シリンダロック。
【請求項１４】
請求項１のシリンダロックにおいて、回転可能なプラグが、１つ又は２つ以上の鋸引き抵抗ピンを更に備える、シリンダロック。
【請求項１５】
請求項８のシリンダロックにおいて、回転可能なプラグが、１つ又は２つ以上の鋸引き抵抗ピンを更に備える、シリンダロック。
【請求項１６】
請求項８のシリンダロックにおいて、軸の作動端部がボールベアリングを更に備える、シリンダロック。
【請求項１７】
請求項１のシリンダロックにおいて、軸の作動端部がボールベアリングを更に備える、シリンダロック。
【請求項１８】
シリンダブロックにおいて、
内部に回転可能に配置された回転可能なプラグを有するハウジングであって、該ハウジング固定された固定のプラグを有する前記ハウジングと、
該ハウジング内に摺動可能に取り付けられ且つ錠止位置と非錠止位置との間を摺動可能な非回転可能な軸であって、前記ハウジングの一端から伸びる作動端部と、前記ハウジングの他端から伸びる掛止端部とを有する前記非回転可能な軸と、
を備える、シリンダブロック。
【請求項１９】
請求項１８のシリンダロックにおいて、前記軸に固定状態に接続されたアクチュエータであって、前記固定のプラグの軸方向溝内に受け入れ得るように整合され、これにより、前記軸及びアクチュエータの回転が阻止されるようにする脚部を更に有する前記アクチュエータを更に備える、シリンダロック。
【請求項２０】
請求項１８のシリンダロックにおいて、ばねが前記非回転可能な軸を非錠止位置に偏倚させる、シリンダロック。
【手続補正２】
【補正対象書類名】明細書
【補正対象項目名】００１１
【補正方法】変更
【補正の内容】
【００１１】
このように、ロック本体ハウジング３０は、押ボタンシリンダ又はその他の錠止機構を受け入れる穴６２を更に備えている。押ボタンシリンダ６０は、錠止レバー５０に対し垂直に取り付けられている。錠止レバーは、Ｚ字形のプロフィールを備えることが好ましく、また、錠止シリンダの軸６８と係合し得るように配置された肩部６６を有する中間部分６４を更に有している。押ボタンシリンダが押ボタンの外端７０を押すことにより錠止位置に作動されたとき、押ボタン軸の末端６５は、錠止レバーの肩部６６と係合し、錠止レバー５０を錠止又は固定位置に完全に錠止する。
【手続補正３】
【補正対象書類名】明細書
【補正対象項目名】００２１
【補正方法】変更
【補正の内容】
【００２１】
押ボタンロック組立体を開錠するためには、適正な鍵を差込み、タンブラピンの端部を固定のプラグと回転可能なプラグとの間に存在するせん断線と整合させる。このとき、回転可能なシリンダは、鍵によって回転させることができる。回転可能なシリンダが回転すると、該シリンダは、保持エレメントを錠止回り止め部の平坦部から非係合状態にし、保持エレメントが平坦部からカム動作して外れるようにする。保持エレメントが非係合状態なると、押ボタン軸に作用するばねは押ボタン軸を内方に偏倚させ、押ボタン軸の掛止端部が後退し、これにより錠止レバーのような独立的な機構を非錠止状態にする。次に、鍵をその最初の位置に回転して戻し、除去する。これで、ロック組立体は、再度、施錠の用意が整う。
押しボタンアクチュエータ１０８の整合脚部１４２と固定プラグ１０２の軸方向溝１４１の係合のために、アクチュエータ１０８は押しボタンシリンダロック６０の錠止めと非錠止めへの移動の間回転しない。押しボタン軸６８はアクチュエータにリテーナピン１１８によって固定されているので、押しボタン軸６８もまた押しボタンシリンダロック６０の錠止め及び非錠止めへの移動の間回転しない。結局、アクチュエータ１０８と押しボタン軸６８の両者は、それらが押しボタンシリンダロック６０の他の全ての部分に対して永久に回転するのを阻止されているため、押しボタンシリンダロック６０内で軸方向に摺動できるだけである。
【手続補正４】
【補正対象書類名】図面
【補正対象項目名】図８
【補正方法】変更
【補正の内容】
【図８】
2004536980.tif 000001